(57)【要約】  本発明はフィードバック情報の伝送方法、端末装置及び基地局を開示し、該方法は端末装置を介して基地局から送信されたＰＵＣＣＨリソースを指示するためのシグナリングを受信し、また集約に使用されるライセンスキャリアとアンライセンスキャリアでデータを受信し、フィードバック情報を生成した後、対応するＰＵＣＣＨリソースを介してフィードバック情報を基地局に伝送し、これによりＬＡＡシステムにおいて基地局が端末装置から伝送されたフィードバック情報の状況を把握することができない課題を解決することができ、フィードバック情報の伝送効率を向上させることができる。
2019501545.tif 000002
【特許請求の範囲】
【請求項１】
フィードバック情報の伝送方法であって、
端末装置は、基地局から送信された、Ｋ個の第１物理アップリンク制御チャネル（ＰＵＣＣＨ）リソースを指示するための第１シグナリングを受信することと、
第１ダウンリンクサブフレーム集合において、前記端末装置は、集約的に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定することと、
前記端末装置は、Ｍの値が０より大きいか否かを判定することと、
Ｍが０より大きい場合、前記端末装置は、前記第１アップリンクサブフレームにおいて、前記Ｋ個の第１ＰＵＣＣＨリソースのうちのＬ個の第１ＰＵＣＣＨリソースで、前記Ｍビットのフィードバック情報と前記Ｎビットのフィードバック情報とを伝送し、又は、前記端末装置は、第１アップリンクサブフレームにおいて、少なくとも一つの第２ＰＵＣＣＨリソースで、前記Ｎビットのフィードバック情報を伝送し、前記Ｋ個の第１ＰＵＣＣＨリソースのうちのＬ個の第１ＰＵＣＣＨリソースで、前記Ｍビットのフィードバック情報を伝送することと、を含み、
Ｋは正整数であり、Ｍは０以上の整数であり、Ｎは０以上の整数であり、且つＭとＮの少なくとも一つは０ではなく、ＬはＫ以下の正整数であり、前記少なくとも一つの第２ＰＵＣＣＨリソースは、前記ライセンスキャリアのデータ伝送をスケジューリングするためのダウンリンク制御情報（ＤＣＩ）に基づいて確定されるものであり、
前記第１ダウンリンクサブフレーム集合は、前記第１アップリンクサブフレームを使用してフィードバック情報を伝送する全てのダウンリンクサブフレームを含む、
ことを特徴とする前記フィードバック情報の伝送方法。
【請求項２】
Ｍが０と等しい場合、前記端末装置は、第１アップリンクサブフレームにおいて、少なくとも一つの第２ＰＵＣＣＨリソースで前記Ｎビットのフィードバック情報を伝送することを含み、
前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項１に記載のフィードバック情報の伝送方法。
【請求項３】
前記Ｍビットのフィードバック情報を確定することは、
前記アンライセンスキャリアで受信された物理ダウンリンク共有チャネル（ＰＤＳＣＨ）の数量に基づき、Ｍの値を確定すること、又は、
ＰＤＳＣＨを受信した全ての前記アンライセンスキャリアの最大のキャリア番号に基づき、Ｍの値を確定すること、又は、
集約された前記アンライセンスキャリアの総数量に基づき、Ｍの値を確定することを含むことを特徴とする
請求項１又は２に記載のフィードバック情報の伝送方法。
【請求項４】
前記フィードバック情報の伝送方法が時分割複信（ＴＤＤ）システムに適用される場合、前記Ｍビットのフィードバック情報を確定することは、
前記第１ダウンリンクサブフレーム集合におけるダウンリンクサブフレームの数量に基づき、Ｍの値を確定することを含むことを特徴とする
請求項１乃至３のいずれか１項に記載のフィードバック情報の伝送方法。
【請求項５】
前記Ｎビットのフィードバック情報を確定することは、
前記ＤＣＩに基づいてＮの値を確定することを含むことを特徴とする
請求項１乃至４のいずれか１項に記載のフィードバック情報の伝送方法。
【請求項６】
前記Ｋ個の第１ＰＵＣＣＨリソースのうちのＬ個の第１ＰＵＣＣＨリソースで前記Ｍビットのフィードバック情報と前記Ｎビットのフィードバック情報を伝送することは、
前記Ｍビットのフィードバック情報と前記Ｎビットのフィードバック情報をカスケードしてジョイント符号化した後、前記Ｌ個の第１ＰＵＣＣＨリソースで伝送することを特徴とする
請求項１乃至５のいずれか１項に記載のフィードバック情報の伝送方法。
【請求項７】
Ｌが１と等しく、前記Ｌ個の第１ＰＵＣＣＨリソースは前記アンライセンスキャリアのうちのキャリア番号が最も大きいアンライセンスキャリアに対応する第１ＰＵＣＣＨリソースであることを特徴とする
請求項１乃至６のいずれか１項に記載のフィードバック情報の伝送方法。
【請求項８】
前記Ｋ個の第１ＰＵＣＣＨリソースのうちのＬ個の第１ＰＵＣＣＨリソースで前記Ｍビットのフィードバック情報を伝送することは、
ＭがＱより小さい場合、前記Ｍビットのフィードバック情報に対してビット桁の補充を行ってＱビット長の情報シーケンスを得て、前記Ｋ個の第１ＰＵＣＣＨリソースのうちのＬ個の第１ＰＵＣＣＨリソースで前記Ｑビット長の情報シーケンスを伝送することを含み、
Ｑは正整数であり、Ｑはプロトコールによって規格された閾値又は前記基地局によって設定された閾値であることを特徴とする
請求項１乃至７のいずれか１項に記載のフィードバック情報の伝送方法。
【請求項９】
フィードバック情報の伝送方法であって、
基地局は、端末装置へ、Ｋ個の第１物理アップリンク制御チャネル（ＰＵＣＣＨ）リソースを指示するための第１シグナリングを送信することと、
第１ダウンリンクサブフレーム集合において、前記基地局は、集約に使用されるライセンスキャリア及び／又はアンライセンスキャリアで前記端末装置へデータを送信することと、
前記基地局が前記アンライセンスキャリアで前記端末装置へデータを送信する場合、前記基地局は、第１アップリンクサブフレームにおいて、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と前記ライセンスキャリアに対応するＮビットのフィードバック情報とを受信し、又は、前記基地局が前記ライセンスキャリアと前記アンライセンスキャリアで前記端末装置へデータを送信する場合、前記基地局は、第１アップリンクサブフレームにおいて、少なくとも一つの第２ＰＵＣＣＨリソースで、前記端末装置から送信された前記ライセンスキャリアに対応するＮビットのフィードバック情報を受信し、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報を受信することと、を含むこととを含み、
Ｋは正整数であり、ＬはＫ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、Ｍは０以上の整数であり、Ｎは０以上の整数であり、且つＭとＮの少なくとも一つは０ではなく、前記第１ダウンリンクサブフレーム集合は、前記第１アップリンクサブフレームを使用してフィードバック情報を伝送する全てのダウンリンクサブフレームを含む、
ことを特徴とする前記フィードバック情報の伝送方法。
【請求項１０】
前記フィードバック情報の伝送方法は、
前記基地局が前記ライセンスキャリアのみで前記端末装置へデータを送信する場合、前記基地局は、第１アップリンクサブフレームにおいて、少なくとも一つの第２ＰＵＣＣＨリソースで、前記ライセンスキャリアに対応するＮビットのフィードバック情報を受信することをさらに含み、
前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項９に記載のフィードバック情報の伝送方法。
【請求項１１】
前記フィードバック情報の伝送方法は、
前記基地局は、前記アンライセンスキャリアで送信された物理ダウンリンク共有チャネル（ＰＤＳＣＨ）の数量に基づき、Ｍの値を確定すること、又は、
前記基地局は、ＰＤＳＣＨを送信する全ての前記アンライセンスキャリアの最大のキャリア番号に基づき、Ｍの値を確定すること、又は、
前記基地局は、集約されたアンライセンスキャリアの総数量に基づき、Ｍの値を確定することをさらに含むことを特徴とする
請求項９又は１０に記載のフィードバック情報の伝送方法。
【請求項１２】
前記フィードバック情報の伝送方法が時分割複信ＴＤＤシステムに適用される場合、前記フィードバック情報の伝送方法は、
前記基地局は、前記第１ダウンリンクサブフレーム集合におけるダウンリンクサブフレームの数量に基づき、Ｍの値を確定することをさらに含むことを特徴とする
請求項９乃至１１のいずれか１項に記載のフィードバック情報の伝送方法。
【請求項１３】
前記フィードバック情報の伝送方法は、
前記基地局は、前記ＤＣＩによってＮの値を指示することをさらに含むことを特徴とする
請求項９乃至１２のいずれか１項に記載のフィードバック情報の伝送方法。
【請求項１４】
前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と、前記ライセンスキャリアに対応するＮビットのフィードバック情報とを受信することは、
前記Ｌ個の第１ＰＵＣＣＨリソースで、前記Ｍビットのフィードバック情報と、前記Ｎビットのフィードバック情報からカスケードされてジョイント符号化された後に生成されたシーケンスとを受信することを含むことを特徴とする
請求項９乃至１３のいずれか１項に記載のフィードバック情報の伝送方法。
【請求項１５】
Ｌは１と等しく、前記Ｌ個の第１ＰＵＣＣＨリソースは、前記アンライセンスキャリアのうちのキャリア番号が最も大きいアンライセンスキャリアに対応する第１ＰＵＣＣＨリソースであることを特徴とする
請求項９乃至１４のいずれか１項に記載のフィードバック情報の伝送方法。
【請求項１６】
端末装置であって、
基地局から送信された、Ｋ個の第１物理アップリンク制御チャネル（ＰＵＣＣＨ）リソースを指示するための第１シグナリングを受信し、さらに第１ダウンリンクサブフレーム集合において、集約に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定するように構成されるように構成される受信モジュールと、
Ｍの値が０より大きいか否かを判定するように構成される判定モジュールと、
Ｍが０より大きい場合、前記第１アップリンクサブフレームにおいて、前記Ｋ個の第１ＰＵＣＣＨリソースのうちのＬ個の第１ＰＵＣＣＨリソースで、前記Ｍビットのフィードバック情報とＮビットのフィードバック情報とを伝送し、又は、第１アップリンクサブフレームにおいて、少なくとも一つの第２ＰＵＣＣＨリソースで、前記Ｎビットのフィードバック情報を伝送し、前記Ｋ個の第１ＰＵＣＣＨリソースのうちのＬ個の第１ＰＵＣＣＨリソースで、前記Ｍビットのフィードバック情報を伝送するように構成される送信モジュールとを含み、
Ｋは正整数であり、Ｍは０以上の整数であり、Ｎは０以上の整数であり、且つＭとＮの少なくとも一つは０ではなく、ＬはＫ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、
前記第１ダウンリンクサブフレーム集合は、前記第１アップリンクサブフレームを使用してフィードバック情報を伝送する全てのダウンリンクサブフレームを含む、ことを特徴とする前記端末装置。
【請求項１７】
送信モジュールはさらに、
Ｍが０と等しい場合、前記端末装置は、第１アップリンクサブフレームにおいて、少なくとも一つの第２ＰＵＣＣＨリソースで前記Ｎビットのフィードバック情報を伝送するように構成され、前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項１６に記載の端末装置。
【請求項１８】
前記受信モジュールがＭビットのフィードバック情報を確定することは、
前記受信モジュールは、前記アンライセンスキャリアで受信された物理ダウンリンク共有チャネルＰＤＳＣＨの数量に基づき、Ｍの値を確定すること、又は、
前記受信モジュールは、ＰＤＳＣＨを受信した全ての前記アンライセンスキャリアの最大のキャリア番号に基づき、Ｍの値を確定すること、又は、
前記受信モジュールは、集約された前記アンライセンスキャリアの総数量に基づき、Ｍの値を確定することを含むことを特徴とする
請求項１６又は１７に記載の端末装置。
【請求項１９】
前記端末装置が時分割複信ＴＤＤシステムに応用される場合、前記受信モジュールがＭビットのフィードバック情報を確定することは、
前記受信モジュールは、前記第１ダウンリンクサブフレーム集合におけるダウンリンクサブフレームの数量に基づき、Ｍの値を確定することを含むことを特徴とする
請求項１６乃至１８のいずれか１項に記載の端末装置。
【請求項２０】
前記受信モジュールがＮビットのフィードバック情報を確定することは、
前記受信モジュールは、前記ＤＣＩに基づいてＮの値を確定することを含むことを特徴とする
請求項１６乃至１９のいずれか１項に記載の端末装置。
【請求項２１】
前記送信モジュールが前記Ｋ個の第１ＰＵＣＣＨリソースのうちのＬ個の第１ＰＵＣＣＨリソースで前記Ｍビットのフィードバック情報と前記Ｎビットのフィードバック情報を伝送することは、
前記送信モジュールは、前記Ｍビットのフィードバック情報と前記Ｎビットのフィードバック情報をカスケードしてジョイント符号化した後、前記Ｌ個の第１ＰＵＣＣＨリソースで伝送することを含むことを特徴とする
請求項１６乃至２０のいずれか１項に記載の端末装置。
【請求項２２】
Ｌが１と等しく、前記Ｌ個の第１ＰＵＣＣＨリソースは、前記アンライセンスキャリアのうちのキャリア番号が最も大きいアンライセンスキャリアに対応する第１ＰＵＣＣＨリソースであることを特徴とする
請求項１６乃至２１のいずれか１項に記載の端末装置。
【請求項２３】
前記送信モジュールが前記Ｋ個の第１ＰＵＣＣＨリソースのうちのＬ個の第１ＰＵＣＣＨリソースで前記Ｍビットのフィードバック情報を伝送することは、
ＭがＱより小さい場合、前記送信モジュールが前記Ｍビットのフィードバック情報に対してビット桁の補充を行い、Ｑビット長の情報シーケンスを得て、前記Ｋ個の第１ＰＵＣＣＨリソースのうちのＬ個の第１ＰＵＣＣＨリソースで前記Ｑビット長の情報シーケンスを伝送することを含み、
Ｑは正整数であり、Ｑはプロトコールによって規格された閾値又は前記基地局によって設定された閾値であることを特徴とする
請求項１６乃至２２のいずれか１項に記載の端末装置。
【請求項２４】
基地局であって、
端末装置へ、Ｋ個の第１物理アップリンク制御チャネルＰＵＣＣＨリソースを指示するための第１シグナリングを送信し、さらに第１ダウンリンクサブフレーム集合において、集約に使用されるライセンスキャリア及び／又はアンライセンスキャリアで前記端末装置へデータを送信するように構成される送信モジュールと、
前記基地局は前記アンライセンスキャリアで前記端末装置へデータを送信する場合、第１アップリンクサブフレームにおいて、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と、前記ライセンスキャリアに対応するＮビットのフィードバック情報とを受信し、又は、前記基地局は、前記ライセンスキャリアと前記アンライセンスキャリアで前記端末装置へデータを送信する場合、前記基地局は、第１アップリンクサブフレームにおいて、少なくとも一つの第２ＰＵＣＣＨリソースで前記端末装置から送信された前記ライセンスキャリアに対応するＮビットのフィードバック情報を受信し、前記Ｋ個の第１ＰＵＣＣＨリソースのうちのＬ個の第１ＰＵＣＣＨリソースで前記端末装置から送信された前記アンライセンスキャリアに対応するＭビットのフィードバック情報を受信するように構成される受信モジュールとを含み、
Ｋは正整数であり、ＬはＫ以下の正整数であり、前記少なくとも一つの第２ＰＵＣＣＨリソースは、前記ライセンスキャリアのデータ伝送をスケジューリングするためのダウンリンク制御情報（ＤＣＩ）に基づいて確定されるものであり、Ｍは０以上の整数であり、Ｎは０以上の整数であり、ＭとＮの少なくとも一つは０ではなく、前記第１ダウンリンクサブフレーム集合は、前記第１アップリンクサブフレームを使用してフィードバック情報を伝送する全てのダウンリンクサブフレームを含むことを特徴とする前記基地局。
【請求項２５】
前記受信モジュールはさらに、
前記基地局が前記ライセンスキャリアのみで前記端末装置へデータ送信する場合、前記基地局は、第１アップリンクサブフレームにおいて、少なくとも一つの第２ＰＵＣＣＨリソースで前記ライセンスキャリアに対応するＮビットのフィードバック情報を受信するように構成され、前記少なくとも一つの第２ＰＵＣＣＨリソースは、前記ライセンスキャリアのデータ伝送をスケジューリングするためのダウンリンク制御情報ＤＣＩに基づいて確定されるものであることを特徴とする
請求項２４に記載の基地局。
【請求項２６】
前記基地局は、
前記アンライセンスキャリアで送信された物理ダウンリンク共有チャネルＰＤＳＣＨの数量に基づき、Ｍの値を確定し、又は、
ＰＤＳＣＨを送信する全ての前記アンライセンスキャリアの最大のキャリア番号に基づき、Ｍの値を確定し、又は、
集約された前記アンライセンスキャリアの総数量に基づき、Ｍの値を確定するように構成される確定モジュールをさらに含むことを特徴とする
請求項２４又は２５に記載の基地局。
【請求項２７】
前記基地局が時分割複信ＴＤＤシステムに適用される場合、前記基地局は、
前記第１ダウンリンクサブフレーム集合におけるダウンリンクサブフレームの数量に基づき、Ｍの値を確定するように構成される確定モジュールをさらに含むことを特徴とする
請求項２４乃至２６のいずれか１項に記載の基地局。
【請求項２８】
前記送信モジュールはさらに、
前記ＤＣＩによってＮの値を指示するように構成されることを特徴とする
請求項２４乃至２７のいずれか１項に記載の基地局。
【請求項２９】
前記受信モジュールが、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と前記ライセンスキャリアに対応するＮビットのフィードバック情報を受信することは、
前記受信モジュールは、前記Ｌ個の第１ＰＵＣＣＨリソースで、前記Ｍビットのフィードバック情報と前記Ｎビットのフィードバック情報からカスケードされてジョイント符号化された後に生成されたシーケンスとを受信することを含むことを特徴とする
請求項２４乃至２８のいずれか１項に記載の基地局。
【請求項３０】
Ｌが１と等しく、前記Ｌ個の第１ＰＵＣＣＨリソースは、前記アンライセンスキャリアのうちのキャリア番号が最も大きいアンライセンスキャリアに対応する第１ＰＵＣＣＨリソースであることを特徴とする
請求項２４乃至２９のいずれか１項に記載の基地局。
【発明の詳細な説明】
【技術分野】
【０００１】
本発明の実施例は通信分野に関し、特に、フィードバック情報の伝送方法、端末装置及び基地局に関する。
【背景技術】
【０００２】
一方では、長期進化型（ＬＴＥ：Ｌｏｎｇ  Ｔｅｒｍ  Ｅｖｏｌｕｔｉｏｎ）システムにおける物理ダウンリンク共有チャネル（ＰＤＳＣＨ：Ｐｈｙｓｉｃａｌ  Ｄｏｗｎｌｉｎｋ  Ｓｈａｒｅ  Ｃｈａｎｎｅｌ）は、ハイブリッド自動再送リクエスト（ＨＡＲＱ：Ｈｙｂｒｉｄ  Ａｕｔｏｍａｔｉｃ  Ｒｅｐｅａｔ  Ｒｅｑｕｅｓｔ）機能をサポートしている。端末装置は基地局と通信接続を確立した後、ダウンリンク制御情報（ＤＣＩ：Ｄｏｗｎｌｉｎｋ  Ｃｏｎｔｒｏｌ  Ｉｎｆｏｒｍａｔｉｏｎ）を受信し、ＰＤＳＣＨに対応するスケジューリング情報（例えば、物理リソース位置及び数量、変調符号化レベルなどの内容を含むことができる）を取得する。端末装置はスケジューリング情報に基づいてＰＤＳＣＨを受信し、またその中で搬送された伝送ブロック（ＴＢ：Ｔｒａｎｓｐｏｒｔ  Ｂｌｏｃｋ）に対して変調、複号を行う。復号結果が正しい場合、端末装置は基地局へＡＣＫ（Ａｃｋｎｏｗｌｅｄｇｅｍｅｎｔ）情報をフィードバックすることができる。復号結果が誤っている場合、基地局が該ＴＢを繰り返して伝送するように、端末装置は基地局へＮＡＣＫ（Ｎｅｇａｔｉｖｅ  Ａｃｋｎｏｗｌｅｄｇｍｅｎｔ）情報をフィードバックすることができる。
【０００３】
ＡＣＫ情報又はＮＡＣＫ情報は、物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して伝送されることが可能である。端末装置がアップリンクサブフレームにおいてＰＵＳＣＨ伝送を行われていない場合、該サブフレームにおいて伝送されたＡＣＫ情報又はＮＡＣＫはＰＵＣＣＨを介して伝送されるしかなくなる。
【０００４】
他方では、ＬＴＥシステムは帯域幅拡張を実現するためにキャリアアグリゲーション（ＣＡ：Ｃａｒｒｉｅｒ  Ａｇｇｒｅｇａｔｉｏｎ）技術を使用し、即ち複数のＬＴＥキャリア（ＣＣ：Ｃｏｍｐｏｎｅｎｔ  Ｃａｒｒｉｅｒ）を集約し、より大きな伝送帯域幅を実現することができる。
【０００５】
キャリアアグリゲーション技術に対して、先行技術においてライセンス補助アクセス（ＬＡＡ：Ｌｉｃｅｎｓｅ  Ａｓｓｉｓｔｅｄ  Ａｃｃｅｓｓ）技術が提案され、ライセンスキャリアとアンライセンスキャリアの集約を実現する。ＬＡＡシステムにおけるアンライセンスキャリアにおいて、基地局は一つのサブフレーム内のデータ準備（符号化、変調、リソースマッピングなど）を完成するが、具体的にどのサブフレームにおいて上記データを伝送するかは確定されず、即ち基地局はいずれかのダウンリンクサブフレームにおける各キャリア上のスケジューリング状況を完全に把握することができない。したがって、基地局はＤＣＩに情報を設定して、フィードバックする必要があるフィードバック情報（ＡＣＫ情報又はＮＡＣＫ情報）の数量を端末装置に指示することができなく、そのため、基地局と端末装置とのフィードバック情報伝送効率が低下する。
【発明の概要】
【０００６】
本発明の実施例において、フィードバック情報の伝送方法、端末装置及び基地局を提供し、フィードバック情報の伝送効率を向上させることができる。
【課題を解決するための手段】
【０００７】
第１態様において、フィードバック情報の伝送方法を提供し、
端末装置は、基地局から送信された、Ｋ個の第１物理アップリンク制御チャネルＰＵＣＣＨリソースを指示するための第１シグナリングを受信することと、
第１ダウンリンクサブフレーム集合において、前記端末装置は、集約的に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定することと、
前記端末装置は、Ｍの値が０より大きいか否かを判定することと、
Ｍが０より大きい場合、前記端末装置は、前記第１アップリンクサブフレームにおいて、前記Ｋ個の第１ＰＵＣＣＨリソースのうちのＬ個の第１ＰＵＣＣＨリソースで、前記Ｍビットのフィードバック情報と前記Ｎビットのフィードバック情報を伝送し（協同ＰＵＣＣＨリソースの技術案）、又は、前記端末装置は、第１アップリンクサブフレームにおいて、少なくとも一つの第２ＰＵＣＣＨリソースで、前記Ｎビットのフィードバック情報を伝送し、前記Ｋ個の第１ＰＵＣＣＨリソースのうちのＬ個の第１ＰＵＣＣＨリソースで、前記Ｍビットのフィードバック情報を伝送する（単独ＰＵＣＣＨリソースの技術案）ことと、を含み、
Ｋは正整数であり、Ｍは０以上の整数であり、Ｎは０以上の整数であり、且つＭとＮの少なくとも一つは０ではなく、Ｌは、Ｋ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、
ここで、前記第１ダウンリンクサブフレーム集合は、前記第１アップリンクサブフレームを使用してフィードバック情報を伝送する全てのダウンリンクサブフレームを含む。
【０００８】
第１態様における一つの考えられる実施形態において、前記方法は、
Ｍが０と等しい場合、前記端末装置は、第１アップリンクサブフレームにおいて、少なくとも一つの第２ＰＵＣＣＨリソースで前記Ｎビットのフィードバック情報を伝送することを含み、前記少なくとも一つの第２ＰＵＣＣＨリソースは、前記ライセンスキャリアのデータ伝送をスケジューリングするためのダウンリンク制御情報ＤＣＩに基づいて確定されるものである。
【０００９】
ここで、協同ＰＵＣＣＨリソースの技術案において、ライセンスキャリアに対応するフィードバック情報と、アンライセンスキャリアに対応するフィードバック情報とは、同じＰＵＣＣＨリソースで伝送されてもよく、端末装置に対する電力要求がより低く、リソースを節約できる。
【００１０】
単独ＰＵＣＣＨリソースの技術案は、現行のライセンスキャリアに対応するフィードバック情報伝送の技術案との互換性をより良くすることができる。ライセンスキャリアの信頼性要求がアンライセンスキャリアより高いため、該技術案は、ライセンスキャリアに対応するＡＣＫ／ＮＡＣＫ情報の伝送性能に影響を与えないことを優先的に保証することができる。
【００１１】
第１態様における一つの考えられる実施形態において、Ｍビットのフィードバック情報を確定することは、
前記アンライセンスキャリアで受信された物理ダウンリンク共有チャネルＰＤＳＣＨの数量に基づき、Ｍの値を確定すること、又は、
ＰＤＳＣＨを受信した全ての前記アンライセンスキャリアの最大のキャリア番号に基づき、Ｍの値を確定すること、又は、
集約された前記アンライセンスキャリアの総数量に基づき、Ｍの値を確定することを含む。
【００１２】
第１態様における一つの考えられる実施形態において、前記方法が時分割複信ＴＤＤシステムに適用される場合、Ｍビットのフィードバック情報を確定することは、
前記第１ダウンリンクサブフレーム集合におけるダウンリンクサブフレームの数量に基づき、Ｍの値を確定することを含む。
【００１３】
第１態様における一つの考えられる実施形態において、Ｎビットのフィードバック情報を確定することは、
前記ＤＣＩに基づいてＮの値を確定することを含む。
【００１４】
第１態様における一つの考えられる実施形態において、前記Ｋ個の第１ＰＵＣＣＨリソースのうちのＬ個の第１ＰＵＣＣＨリソースで前記Ｍビットのフィードバック情報を伝送することは、
ＭがＱより小さい場合、前記Ｍビットのフィードバック情報に対してビット桁の補充を行ってＱビット長の情報シーケンスを得て、前記Ｋ個の第１ＰＵＣＣＨリソースのうちのＬ個の第１ＰＵＣＣＨリソースで前記Ｑビット長の情報シーケンスを伝送することを含み、Ｑが正整数であり、Ｑがプロトコールによって規格され、又は前記基地局によって設定された閾値である。
【００１５】
これにより、確定された長さのフィードバック情報シーケンスを使用し、基地局は受信する時にフィードバック情報シーケンスの長さに対してブラインド検出を行う必要がなく、検出アルゴリズムを簡略化し、検出性能を向上させる。情報に対してビット桁の補充を行うことにより、基地局と端末装置がフィードバック情報シーケンス内の各ビット情報の対応関係に関する理解を一致するように保証することができる。
【００１６】
第２態様によるフィードバック情報の伝送方法は、
基地局が端末装置へ、Ｋ個の第１物理アップリンク制御チャネルＰＵＣＣＨリソースを指示するための第１シグナリングを送信することと、
第１ダウンリンクサブフレーム集合において、前記基地局は、集約に使用されるライセンスキャリア及び／又はアンライセンスキャリアで前記端末装置へデータを送信することと、
前記基地局が前記アンライセンスキャリアで前記端末装置へデータを送信する場合、前記基地局は、第１アップリンクサブフレームにおいて、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と前記ライセンスキャリアに対応するＮビットのフィードバック情報とを受信し、又は、前記基地局が前記ライセンスキャリアと前記アンライセンスキャリアで前記端末装置へデータを送信する場合、前記基地局は、第１アップリンクサブフレームにおいて、少なくとも一つの第２ＰＵＣＣＨリソースで、前記端末装置から送信された前記ライセンスキャリアに対応するＮビットのフィードバック情報を受信し、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報を受信することと、を含み、
Ｋが正整数であり、Ｌは、Ｋ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、Ｍは０以上の整数であり、Ｎは０以上の整数であり、且つＭとＮの少なくとも一つは０ではなく、前記第１ダウンリンクサブフレーム集合は、前記第１アップリンクサブフレームを使用してフィードバック情報を伝送する全てのダウンリンクサブフレームを含む。
【００１７】
第２態様における一つの考えられる実施形態において、前記方法は、
前記基地局が前記ライセンスキャリアのみで前記端末装置へデータを送信する場合、前記基地局は、第１アップリンクサブフレームにおいて、少なくとも一つの第２ＰＵＣＣＨリソースで前記ライセンスキャリアに対応するＮビットのフィードバック情報を受信することを含み、前記少なくとも一つの第２ＰＵＣＣＨリソースは、前記ライセンスキャリアのデータ伝送をスケジューリングするためのダウンリンク制御情報ＤＣＩに基づいて確定されるものである。
【００１８】
第２態様における一つの考えられる実施形態において、前記方法は、
前記基地局は、前記アンライセンスキャリアで送信された物理ダウンリンク共有チャネルＰＤＳＣＨの数量に基づき、Ｍの値を確定すること、又は、
前記基地局がＰＤＳＣＨを送信する全ての前記アンライセンスキャリアの最大のキャリア番号に基づき、Ｍの値を確定すること、又は、
前記基地局が集約されたアンライセンスキャリアの総数量に基づき、Ｍの値を確定することをさらに含む。
【００１９】
第２態様における一つの考えられる実施形態において、前記方法が時分割複信（ＴＤＤ）システムに適用される場合、前記方法は、
前記基地局が前記第１ダウンリンクサブフレーム集合におけるダウンリンクサブフレームの数量に基づき、Ｍの値を確定することをさらに含む。
【００２０】
第２態様における一つの考えられる実施形態において、前記方法は、
前記基地局は、前記ＤＣＩによってＮの値を指示することをさらに含む。
【００２１】
第２態様における一つの考えられる実施形態において、前記Ｋ個の第１ＰＵＣＣＨリソースのうちのＬ個の第１ＰＵＣＣＨリソースで前記端末装置から送信された前記アンライセンスキャリアに対応するＭビットのフィードバック情報と前記ライセンスキャリアに対応するＮビットのフィードバック情報を受信することは、
前記Ｌ個の第１ＰＵＣＣＨリソースで、前記Ｍビットのフィードバック情報と前記Ｎビットのフィードバック情報からカスケードされてジョイント符号化された後に生成されたシーケンスを受信することを含む。
【００２２】
第３態様における端末装置は受信モジュール、判定モジュールと送信モジュールを含み、第１態様と第２態様の対応する実施形態を実行するように構成される。
【００２３】
第４態様における端末装置はプロセッサ、受信機、送信機とメモリを含み、第１態様と第２態様の対応する実施形態を実行するように構成され、また第４態様における端末装置の各コンポーネントは第３態様における端末装置の対応するモジュールに対応することができる。
【００２４】
第５態様における基地局は受信モジュール、送信モジュールを含み、第１態様と第２態様の対応する実施形態を実行するように構成される。基地局は対応する実施形態を実行するように、確定モジュールをさらに含むことができる。
【００２５】
第６態様における基地局はプロセッサ、受信機、送信機とメモリを含み、第１態様と第２態様の対応する実施形態を実行するように構成され、また第６態様における基地局の各コンポーネントは第５態様における基地局の対応するモジュールに対応することができる。
【００２６】
第１態様〜第６態様及び対応する実施形態において、Ｌが１と等しく、前記Ｌ個の第１ＰＵＣＣＨリソースは前記アンライセンスキャリアのうちのキャリア番号が最も大きいアンライセンスキャリアに対応する第１ＰＵＣＣＨリソースである。
【００２７】
理解すべきこととして、Ｌが１と等しいという技術案により、複数のアンライセンスキャリアの対応するフィードバック情報が同じＰＵＣＣＨリソースで伝送されることができ、端末装置に対する電力要求がより低く、リソースを節約することができる。
【００２８】
上記の技術案に基づき、本発明の実施例におけるフィードバック情報の伝送方法、端末装置と基地局では、端末装置は基地局から送信されたＰＵＣＣＨリソースを指示するためのシグナリングを受信し、また集約に使用されるライセンスキャリアとアンライセンスキャリアでデータを受信し、フィードバック情報を生成した後、対応するＰＵＣＣＨリソースを介してフィードバック情報を基地局に伝送し、これによりフィードバック情報の伝送効率を向上させることができる。
【図面の簡単な説明】
【００２９】
【図１】ＬＴＥキャリアアグリゲーション技術を示す図である。
【図２】本発明の一つの実施例におけるフィードバック情報を生成することを示す図である。
【図３】本発明の別の実施例におけるフィードバック情報を生成することを示す図である。
【図４】本発明の別の実施例におけるフィードバック情報を生成することを示す図である。
【図５】本発明の一つの実施例におけるフィードバック情報を伝送する概略的なフローチャートである。
【図６】本発明の一つの実施例におけるフィードバック情報のカスケードすることを示す図である。
【図７】本発明の別の実施例におけるフィードバック情報のカスケードすることを示す図である。
【図８】本発明の別の実施例におけるフィードバック情報の伝送方法の概略的なフローチャートである。
【図９】本発明の別の実施例におけるフィードバック情報の伝送方法の概略的なフローチャートである。
【図１０】本発明の一つの実施例における端末装置の概略的なブロック図である。
【図１１】本発明の別の実施例における端末装置の概略的なブロック図である。
【図１２】本発明の一つの実施例における基地局の概略的なブロック図である。
【図１３】本発明の別の実施例における基地局の概略的なブロック図である。
【発明を実施するための形態】
【００３０】
本発明の実施例の技術案をより明確に説明するために、上記に実施例又は先行技術の説明で必要となる図面を簡単に説明し、明らかに、上記に記載する図面は本発明のいくつかの実施例だけであり、当業者であれば、創造的な労力を払わない前提で、これらの図面に基づいて他の図面を得ることができる。
【００３１】
以下に本発明の実施例における図面を結合し、本発明の実施例における技術案を明確的、全面的に説明し、明らかに、説明した実施例は本発明の一部の実施例だけであり、全ての実施例ではない。本発明の実施例に基づき、当業者が創造的な労力を払わずに得られた他の実施例は、全て本発明の保護範囲に属する。
【００３２】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００３３】
理解すべきこととして、本発明の実施例における技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに適用されることができる。
【００３４】
本発明は端末装置を結合して各実施例を説明する。端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信することができ、端末装置はユーザ装置（ＵＥ：Ｕｓｅｒ  Ｅｑｕｉｐｍｅｎｔ）、アクセス端末、ユーザユニット、ユーザサイト、移動サイト、移動局、遠隔サイト、遠隔端末、移動装置、ユーザ端末、端末、無線通信装置、ユーザエージェント又はユーザデバイスであってもよい。アクセス端末装置はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末装置などであってもよい。
【００３５】
本発明は基地局を結合して各実施例を説明する。基地局は端末装置と通信するための装置であってもよく、例えばＧＳＭシステム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  Ｎｏｄｅ  Ｂ）であってもよく、又は該基地局は中継局、アクセスポイント、車載デバイス、ウェアラブルデバイス及び将来の５Ｇネットワークにおけるネットワーク側装置などであってもよい。
【００３６】
以下に本発明の実施例に係る関連技術及び概念を簡単に説明する。
【００３７】
キャリアアグリゲーション技術としては、
通信技術の発展に伴い、ＬＴＥ技術から長期進化技術アップグレード（ＬＴＥ−Ａｄｖａｎｃｅｄ、ＬＴＥ−Ａ）技術が進化して来た。ＬＴＥ−Ａのリリース１０（Ｒｅｌｅａｓｅ１０）システムにおいて、ＣＡ技術を使用して帯域幅拡張を実現し始め、即ち、図１に示す最大５個のＬＴＥキャリアＣＣ１〜ＣＣ５を集約し、最大１００ＭＨｚの伝送帯域幅を実現することができる。端末装置の能力とそれが伝送するデータ量に応じて、基地局は各端末装置に対してそれが集約して伝送するキャリアの数量を設定することができ、集約されたキャリアはメンバーキャリアと呼ばれてもよい。
【００３８】
一つの端末装置に対して、集約された複数のメンバーキャリアは以下を含む。（１）プライマリーキャリア（ＰＣｅｌｌ：Ｐｒｉｍａｒｙ  Ｃｅｌｌ）であって、プライマリーキャリアが一つだけであり、端末装置がプライマリーキャリアで初期接続の確立プロセス、又は開始接続の再確立プロセスを行い、端末装置がプライマリーキャリアのみでＰＤＣＣＨの共通検索スペースを受信し、また端末装置がプライマリーキャリアのみでＰＵＣＣＨを送信する。（２）セカンダリーキャリア（ＳＣｅｌｌ：Ｓｅｃｏｎｄａｒｙ  Ｃｅｌｌ）であって、プライマリーキャリア以外のその他のメンバーキャリアが全てセカンダリーキャリアであり、端末装置がセカンダリーキャリアでＤＣＩ、ＰＤＳＣＨを受信し、またセカンダリーキャリアでＰＵＳＣＨを送信することができる。
【００３９】
ＡＣＫ情報又はＮＡＣＫ情報のフィードバックとしては、
端末装置は基地局と通信接続を確立した後、ＤＣＩを受信し、ＰＤＳＣＨに対応するスケジューリング情報（例えば、物理リソース位置及び数量、変調符号化レベルなどの内容を含むことができる）を受信する。端末装置はスケジューリング情報に基づいてＰＤＳＣＨを受信し、またその中に搬送されたＴＢに対して変調、符号化を行う。復号結果が正しい場合、端末装置は基地局へＡＣＫ情報をフィードバックすることができる。復号結果が間違っている場合、基地局が該ＴＢを繰り返して伝送するように、端末装置は基地局へＮＡＣＫ情報をフィードバックすることができる。
【００４０】
ＡＣＫ情報又はＮＡＣＫ情報は物理アップリンク共有チャネル（ＰＵＳＣＨ：Ｐｈｙｓｉｃａｌ  Ｕｐｌｉｎｋ  Ｓｈａｒｅ  Ｃｈａｎｎｅｌ）又は物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）を介して伝送されてもよい。端末装置がアップリンクサブフレームにおいてＰＵＳＣＨ伝送を行っていない場合、該サブフレームにおいて伝送されたＡＣＫ情報又はＮＡＣＫは、ＰＵＣＣＨを介して伝送されるしかない。
【００４１】
ＬＡＡ技術としては、
現在、無線セルラーシステムにおいてアンライセンス周波数帯（Ｕｎｌｉｃｅｎｓｅｄ周波数帯、例えば２．４ＧＨｚ、５．８ＧＨｚなどの周波数帯）を使用してセルラーシステムの使用頻度を拡張することを考慮に入れ始め、主要な技術手段はＬＡＡ技術を含む。ＬＡＡ技術の主な特徴は以下を含む。（１）アンライセンス周波数帯はライセンス周波数と集約して使用される必要があり、且つアンライセンス周波数はセカンダリーキャリアのみとして動作することができる。ＬＡＡ技術をより良くサポートするために、ＬＴＥ−Ａリリース１３（Ｒ１３：Ｒｅｌｅａｓｅ１３）システムは最大３２個のメンバーキャリアの集約をサポートすることができる。（２）アンライセンス周波数帯の使用は基地局のスケジューリングだけでなく、アンライセンス周波数帯の負荷に制限され、即ち、競争的メカニズムによって使用することしかできない。
【００４２】
現行のキャリアアグリゲーションシステムについては、基地局のスケジューラが、あるサブフレームにおける各キャリアのデータを統一してスケジューリングするため、基地局は、該サブフレームにおける各キャリア上のスケジューリング状況を完全に把握することができる。したがって、基地局はＤＣＩに、現在のサブフレームにおいて端末装置のフィードバックする必要のあるＡＣＫ情報又はＮＡＣＫ情報の総数量を該端末装置に通知するためのいくつかの情報フィールドを設定することができ、これにより端末装置と基地局の間のＡＣＫ情報又はＮＡＣＫ情報の伝送効率が向上させる。
【００４３】
しかし、ＬＡＡシステムにおけるアンライセンス周波数帯については、基地局は一つのサブフレーム内のデータ準備（符号化、変調、リソースマッピングなど）を行ったが、具体的にどのサブフレームにおいて上記データを伝送するかは確定されていなく、即ち基地局は、各ダウンリンクサブフレーム内の各キャリア上のスケジューリング状況を完全に把握することができない。したがって、基地局は、端末装置がフィードバックする必要があるフィードバック情報（ＡＣＫ情報又はＮＡＣＫ情報）の数量を指示するための情報を、ＤＣＩに設定することができなく、それによって基地局と端末装置の間のフィードバック情報の伝送効率が低下することになる。
【００４４】
理解すべきこととして、本明細書において称されるフィードバック情報は、ＡＣＫ情報及び／又はＮＡＣＫ情報を含むことができる。
【００４５】
本発明の各実施例において、ＬＡＡシステムでは、基地局は、あるサブフレームにおける各ライセンスキャリアのデータを統一してスケジューリングすることができ、そのため、基地局は該サブフレームにおける各ライセンスキャリア上のスケジューリング状況を完全に把握することができ、それによって、基地局は端末装置が伝送しようとするライセンスキャリアに対応するフィードバック情報の数量を事前に把握することができる。アンライセンスキャリアについては、端末装置は基地局と取り決めた方式で一定の数のフィードバック情報を生成することができ、そのため基地局は、取り決めた方式に基づいて端末装置が伝送しようとするアンライセンスキャリアのフィードバック情報の数量を把握することができ、それによって、基地局が端末装置によって伝送されたＡＣＫ情報又はＮＡＣＫ情報の数量が把握できないため、フィードバック情報の伝送効率が低下するという問題を解決する。以上については、本発明の思案である。
【００４６】
本発明の一つの実施例において、基地局と端末装置はプロトコル又は事前に設定されたルールに従って、アンライセンスキャリアに対応するＭビットのフィードバック情報を確定する方式を取り決めることができ、これにより、ＬＡＡシステムにおいて基地局が端末装置によって伝送されたＡＣＫ情報又はＮＡＣＫ情報の数量を把握ことができないという問題を解決することができる。例えば（１）端末装置はアンライセンスキャリアで受信されたＰＤＳＣＨの数量に基づき、Ｍの値を確定することができる。基地局は同様のルールに従ってＭの値を確定できる。
【００４７】
具体的には、一つの例において、端末装置は、一つのダウンリンクサブフレームｎで受信されたＰＤＳＣＨの総数量及び各アンライセンスキャリア上の伝送モードに基づいて、フィードバック情報のシーケンスの全長を確定する。図２に示すように、アンライセンスキャリアがシングルコード伝送モードに設定された場合、一つのＰＤＳＣＨが１ビットのフィードバック情報（ＡＣＫ情報又はＮＡＣＫ情報）に対応し、アンライセンスキャリアがダブルコード伝送モードに設定された場合、一つのＰＤＳＣＨが２ビットのフィードバック情報に対応する。端末装置は、それに使用される８個のアンライセンスキャリアでＰＤＳＣＨａ〜ｃを受信し、これに対応して、フィードバック情報のシーケンスｂａ，０、ｂｂ，０、ｂｂ，１、ｂｃ，０を確定する。
【００４８】
又は、（２）端末装置は、ＰＤＳＣＨを受信した全てのアンライセンスキャリアの最大のキャリア番号に基づき、Ｍの値を確定することができる。基地局は同様のルールに従ってＭの値を確定できる。
【００４９】
具体的には、一つの例において、端末装置は一つのダウンリンクサブフレームｎにおいて受信されたＰＤＳＣＨの全てのアンライセンスキャリアのうちの番号が最も大きいアンライセンスキャリア及び各アンライセンスキャリア上の伝送モードに基づいてフィードバック情報のシーケンスの全長Ｍの値を確定し、またＭビットのフィードバック情報を生成する。図３に示すように、Ｘが占められるビット情報を表し、受信されたＰＤＳＣＨの全てのアンライセンスキャリアのうちの番号が最も大きいアンライセンスキャリアの前のアンライセンスキャリアに対して、それがＰＤＳＣＨを受信していない場合、ＡＣＫ情報又はＮＡＣＫ情報をフィードバックしなく、ビットの占る情報Ｘで表す。端末装置はそれが使用する８個のアンライセンスキャリアでＰＤＳＣＨａ〜ｃを受信し、これに対応してフィードバック情報のシーケンスＸ、ｂａ，０、Ｘ、Ｘ、Ｘ、Ｘ、ｂｂ，０、ｂｂ，１、Ｘ、ｂｃ，０を確定する。即ち、フィードバック情報は受信されたＰＤＳＣＨの番号が最も大きいアンライセンスキャリアまでとなり、その後のＰＤＳＣＨを受信しないアンライセンスキャリアは、ビットの占る情報Ｘで表されない。理解すべきこととして、この前の例と同様に、本例において各アンライセンスキャリアに対応するフィードバック情報のビット数がアンライセンスキャリアの伝送モードに対応し、ここでは説明を省略する。
【００５０】
又は、（３）端末装置は集約されたアンライセンスキャリアの総数量に基づき、Ｍの値を確定することができる。基地局は同様のルールに従ってＭの値を確定できる。
【００５１】
具体的には、一つの例において、端末装置は、集約された全てのアンライセンスキャリア及び各アンライセンスキャリア上の伝送モードに基づいて、フィードバック情報シーケンスの全長を確定する。図４に示すように、Ｘがビットの占る情報を表し、全てのアンライセンスキャリアに対して、それがＰＤＳＣＨを受信していない場合、ＡＣＫ情報又はＮＡＣＫ情報をフィードバックしなく、ビットの占る情報Ｘで表す。端末装置は、それが使用する８個のアンライセンスキャリアでＰＤＳＣＨａ〜ｃを受信し、これに対応してフィードバック情報シーケンスＸ、ｂａ，０、Ｘ、Ｘ、Ｘ、Ｘ、ｂｂ，０、ｂｂ，１、Ｘ、ｂｃ，０、Ｘ、Ｘを確定する。理解すべきこととして、この前の二つの例と同様に、本例において各アンライセンスキャリアに対応するフィードバック情報のビット数がアンライセンスキャリアの伝送モードに対応し、ここでは説明を省略する。
【００５２】
また、以上の方法でアンライセンスキャリアに対応するフィードバック情報のビット数を確定する以外、本発明の実施例の適用されるシステムは、時分割複信（ＴＤＤ：Ｔｉｍｅ  Ｄｉｖｉｓｉｏｎ  Ｄｕｐｌｅｘｉｎｇ）システムである場合、ダウンリンクサブフレームの数量がアップリンクサブフレームの数量と等しくない可能性があるため、アンライセンスキャリアに対応するＭヒットのフィードバック情報を確定することは、該第１ダウンリンクサブフレーム集合におけるダウンリンクサブフレームの数量に基づき、Ｍの値を確定することができる。その中、第１ダウンリンクサブフレーム集合（例えばダウンリンクサブフレーム集合Ｓ）は、第１アップリンクサブフレームを使用してフィードバック情報を伝送する全てのダウンリンクサブフレームを含む。即ち、同一のアップリンクサブフレーム（例えば第１アップリンクサブフレーム）を使用してフィードバック情報を伝送する全てのダウンリンクサブフレームのフィードバック情報を集約してＭビットのフィードバック情報のシーケンスを生成して一緒に送信する。
【００５３】
以上に端末装置と基地局が取り決めに従ってＭを確定すること、及び端末装置がＭビットのフィードバック情報を生成することの具体的な実施形態を詳しく説明した。理解すべきこととして、端末装置と基地局が取り決めに従ってＭを確定する方法、及び端末装置がＭビットのフィードバック情報を生成する方法は他の複数の形態であってもよく、本発明はこれに限定されない。
【００５４】
以下に本発明の実施例における基地局と端末装置が、シグナリングまたはメッセージなどによってフィードバック情報のインタラクティブな伝送を行う流れを詳しく説明する。
【００５５】
まず基地局がＰＵＣＣＨリソースを設定することを説明する。基地局は各アンライセンスキャリアに一つのＰＵＣＣＨリソースを設定することができ、異なるアンライセンスキャリアに対応するＰＵＣＣＨリソースは同じであってもよく、異なってもよい。
【００５６】
一つの具体的な実施例において、図５に示すように、フィードバック情報の伝送方法１００はＳ１１０〜Ｓ１７０のステップを含む。
【００５７】
Ｓ１１０において、基地局は端末装置へ第１シグナリングを送信する。これに応じて、端末装置にとって、端末装置は基地局から送信された第１シグナリングを受信する。該第１シグナリングはＫ個の第１ＰＵＣＣＨリソースを指示することに用いられ、該Ｋ個の第１ＰＵＣＣＨリソースは、第１アップリンクサブフレームにおいて、第１ダウンリンクサブフレーム集合で該端末装置がアンライセンスキャリアでデータを受信するフィードバック情報を伝送することに用いられ、その中、Ｋが正整数であり、該第１ダウンリンクサブフレーム集合は、該第１アップリンクサブフレームを使用してフィードバック情報を伝送する全てのダウンリンクサブフレームを含み、該アンライセンスキャリアがライセンスと集約して使用される。
【００５８】
具体的には、基地局は上位層シグナリングによってＰＵＣＣＨリソースを準静的に設定してもよく、ダウンリンク制御シグナリングによってＰＵＣＣＨリソースを動的に設定してもよい。基地局は、端末装置に使用されている各アンライセンスキャリアに、一つのＰＵＣＣＨリソースを設定することができる。いずれかの二つのアンライセンスキャリアに設定されたＰＵＣＣＨリソースは同じであってもよく、異なっててもよい。全てのアンライセンスキャリアに設定されたＰＵＣＣＨリソースが同じである場合、Ｋが１と等しい。
【００５９】
Ｓ１２０、該第１ダウンリンクサブフレーム集合Ｓにおいて、基地局は、集約に使用されるライセンスキャリア及び／又はアンライセンスキャリアで端末装置へデータを送信する。これに対応して、該端末装置はライセンスキャリア及び／又はアンライセンスキャリアでデータを受信する。ここで、集約に使用されるライセンスキャリア及び／又はアンライセンスキャリアは、端末装置がライセンスキャリアとアンライセンスキャリアでデータを同時に受信することができることを、基地局が許可することを意味する。実際に実施する際に、データの配信状況及びキャリアの状況に応じて、基地局は、集約に使用されるライセンスキャリアとアンライセンスキャリアの両方ともにおいて、端末装置へデータを送信することができ、ライセンスキャリアのみで端末装置へデータを送信してもよく、アンライセンスキャリアのみで端末装置へデータを送信してもよく、本発明の実施例はこれに限定されない。
【００６０】
Ｓ１３０において、基地局がアンライセンスキャリアでデータを送信する場合、端末装置はアンライセンスキャリアでデータを受信し、且つアンライセンスキャリアで受信されたデータに対してＭビットのフィードバック情報を確定し、その中、Ｍが０以上の整数である。Ｍを確定する方法、及びＭビットのフィードバック情報の生成方法は以上の説明に従ってもよい。ここでは説明を省略する。
【００６１】
Ｓ１４０において、基地局がライセンスキャリアでデータを送信する場合、該端末装置はライセンスキャリアでデータを受信し、またライセンスキャリアで受信されたデータに対してＮビットのフィードバック情報を確定し、ここで、Ｎが０以上の整数である。
【００６２】
具体的には、Ｎビットのフィードバック情報を確定することは、ＤＣＩに基づいてＮの値を確定することを含むことができる。ここで、ＤＣＩはライセンスキャリアのデータ伝送をスケジューリングすることに用いられる。即ち、端末装置に使用されたライセンスキャリアは基地局がＤＣＩを送信することによって、スケジューリングしたものである。したがって、基地局は端末装置がライセンスキャリアを使用する状況によって、端末装置がフィードバック情報を送信する状況を予知することができ、基地局は、Ｎの値を搬送し、又はＮを確定するアルゴリズム又はルールを搬送するための情報フィールドを、ＤＣＩに設定することができ、本発明の実施例はこれを限定しない。端末装置は、ＤＣＩの情報フィールドに基づいてＮの値を確定できる。
【００６３】
理解すべきこととして、Ｓ１３０とＳ１４０は本発明の実施例において必ずしも必要としないが、Ｓ１３０とＳ１４０少なくとも一つのステップが実行され、具体的にＳ１２０における説明と類似する。ここでは説明を省略する。
【００６４】
現行のＬＡＡシステムの場合、端末装置はＡ（Ａが１以上である）個のライセンスキャリア、Ｂ（Ｂが１以上である）個のアンライセンスキャリアを集約する。Ｍが０と等しい場合、Ｓ１５０において、端末装置は第１アップリンクサブフレームにおいて、少なくとも一つの第２ＰＵＣＣＨリソースでＮビットのフィードバック情報を伝送することができ、ここで、少なくとも一つの第２ＰＵＣＣＨリソースが該ライセンスキャリアのデータ伝送をスケジューリングするためのＤＣＩに基づいて確定されてもよい。好ましくは、一つの第２ＰＵＣＣＨリソースでＮビットのフィードバック情報を伝送することができる。
【００６５】
Ｍが０より大きい場合、Ｓ１６０とＳ１７０の二つの技術案のうちの一つを選択することができる。
【００６６】
ここで、Ｓ１６０に対応する技術案を単独ＰＵＣＣＨの技術案と略称する。
【００６７】
具体的には、ライセンスキャリアはＬＴＥ  Ｒ１３のＡＣＫ情報又はＮＡＣＫ情報をキャリア集約してフィードバックするという動作仕様を再利用する。ＤＣＩを設定する場合、基地局はライセンスキャリア上のスケジューリング状況のみを考慮する。端末装置はＤＣＩに基づいてフィードバック情報を伝送するための第２ＰＵＣＣＨリソースを確定し、また該第２ＰＵＣＣＨリソースを使用してライセンスキャリアに対応するフィードバック情報を伝送する。これに応じて、端末装置は該第１アップリンクサブフレームにおいて、少なくとも一つの第２ＰＵＣＣＨリソースで該Ｎビットのフィードバック情報を伝送し、ここで、該少なくとも一つの第２ＰＵＣＣＨリソースが該ライセンスキャリアのデータ伝送をスケジューリングするためのダウンリンク制御情報ＤＣＩに基づいて確定されたものである。
【００６８】
端末装置がアンライセンスキャリアでデータを受信する場合、単独の第１ＰＵＣＣＨリソースでアンライセンスキャリアに対応するフィードバック情報のみを伝送する。端末装置が複数のＰＵＣＣＨリソース（少なくとも一つの第１ＰＵＣＣＨリソースと少なくとも一つの第２ＰＵＣＣＨリソース）で複数のＰＵＣＣＨを同時に送信する必要があるため、端末装置の送信電力が限られている場合、ライセンスキャリアに対応するＰＵＣＣＨ伝送を優先的に保証し、アンライセンスキャリアに対応するＰＵＣＣＨ電力がゼロに低下することもある。本発明の実施例はこれを限定しない。
【００６９】
理解すべきこととして、Ｓ１６０に対応する技術案は現行のライセンスキャリアに対応するフィードバック情報伝送の技術案との互換性をより良くすることができる。ライセンスキャリアの信頼性要求がアンライセンスキャリアより高いため、該技術案はライセンスキャリアに対応するＡＣＫ／ＮＡＣＫ情報の伝送性能に影響を与えないことを優先的に保証することができる。
【００７０】
Ｓ１７０に対応する技術案を協同ＰＵＣＣＨの技術案と略称する。
【００７１】
具体的には、端末装置はライセンスキャリアとアンライセンスキャリアで、アンライセンスキャリアに基づいて確定された第１ＰＵＣＣＨリソースを使用して全てのフィードバック情報（ライセンスキャリアに対応するＮビットのフィードバック情報とアンライセンスキャリアに対応するＭビットのフィードバック情報）を伝送する。これに対応して、端末装置は該第１アップリンクサブフレームにおいて、Ｌ個の第１ＰＵＣＣＨリソースで該Ｎビットのフィードバック情報を伝送する。ここで、ＬはＫ以下の正整数である。
【００７２】
理解すべきこととして、Ｓ１７０に対応する技術案において、ライセンスキャリアに対応するフィードバック情報とアンライセンスキャリアに対応するフィードバック情報は同じＰＵＣＣＨリソースで伝送されてもよく、端末装置に対する電力要求がより低く、リソースを節約できる。
【００７３】
要するに、単独ＰＵＣＣＨの技術案又は協同ＰＵＣＣＨの技術案に関わらず、端末装置は該第１アップリンクサブフレームにおいて、該Ｋ個の第１ＰＵＣＣＨリソースのうちのＬ個の第１ＰＵＣＣＨリソースで該Ｍビットのフィードバック情報を伝送し、ここで、ＬがＫ以下の正整数である。
【００７４】
Ｍが０より大きい場合、好ましくは、Ｌが１と等しく、該Ｌ個の第１ＰＵＣＣＨリソースは、該アンライセンスキャリアのうちのキャリア番号が最も大きいアンライセンスキャリアに対応する第１ＰＵＣＣＨリソースである。
【００７５】
具体的には、端末装置がダウンリンクサブフレーム集合Ｓにおいて、同時に複数のアンライセンスキャリアでダウンリンクデータを受信し、且つ異なるアンライセンスキャリアに対応する第１ＰＵＣＣＨリソースが異なる場合、端末装置は、取り決めたルールに従って一つの第１ＰＵＣＣＨリソースを実際の伝送に使用されるＰＵＣＣＨリソースとして選択することができる。好ましくは、ダウンリンクデータ伝送を受信した全てのアンライセンスキャリアのうちの番号が最も大きいアンライセンスキャライアに対応するＰＵＣＣＨリソースを選択する。理解すべきこととして、本発明の実施例において、端末装置は他の取り決めたルール、例えば番号が最も小さいアンライセンスキャリアに対応するＰＵＣＣＨリソースを使用することもでき、本発明の実施例はこれを限定しない。
【００７６】
理解すべきこととして、Ｌが１と等しい技術案により、複数のアンライセンスキャリアに対応するフィードバック情報は、同じＰＵＣＣＨリソースで伝送されてもよく、端末装置に対する電力要求がより低く、リソースを節約できる。
【００７７】
また、該Ｋ個の第１ＰＵＣＣＨリソースのうちのＬ個の第１ＰＵＣＣＨリソースで該Ｍビットのフィードバック情報を伝送することは、
ＭがＱより小さい場合、該Ｍビットのフィードバック情報に対してビット桁の補充を行い、ビット長がＱである情報シーケンスを得て、該Ｋ個の第１ＰＵＣＣＨリソースのうちのＬ個の第１ＰＵＣＣＨリソースで該Ｑビット長の情報シーケンスを伝送することを含むことができ、ここで、Ｑが正整数であり、Ｑがプロトコルによって規格された閾値又は該基地局によって設定された閾値である。
【００７８】
理解すべきこととして、確定された長さのフィードバック情報シーケンスを使用する場合、基地局は受信する時に、フィードバック情報シーケンスの長さに対してブラインド検出を行う必要がなく、検出アルゴリズムを簡略化し、検出性能を向上させる。情報に対してビット桁の補充を行うことにより、基地局と端末装置がフィードバック情報シーケンス内の各ビット情報の対応関係に関する理解を一致するように保証することができる。
【００７９】
本発明の実施例において、該Ｋ個の第１ＰＵＣＣＨリソースのうちのＬ個の第１ＰＵＣＣＨリソースで該Ｍビットのフィードバック情報を伝送し、該Ｌ個の第１ＰＵＣＣＨリソースで該Ｎビットのフィードバック情報を伝送することは、
該Ｍビットのフィードバック情報と該Ｎビットのフィードバック情報をカスケードしてジョイント符号化した後、該Ｌ個の第１ＰＵＣＣＨリソースで伝送することを含むことができる。
【００８０】
具体的には、アンライセンスキャリアに対応するＭビットのフィードバック情報とライセンスキャリアに対応するＮビットのフィードバック情報をカスケードする技術案は多様であってもよい。
【００８１】
一つの例として、図６に示すように、Ｎビットのフィードバック情報を前方にマッピングし、Ｍビットのフィードバック情報を後方にマッピングし、カスケード情報を得ることができる。理解すべきこととして、逆に、Ｍビットのフィードバック情報を前方にマッピングし、Ｎビットのフィードバック情報を後方にマッピングし、カスケード情報を得ることもできる。
【００８２】
別の例として、図７に示すように、Ｎビットのフィードバック情報とＭビットのフィードバック情報をインターリーブしてマッピングし、カスケード情報を得ることができる。インターリーブ方法は現行のインターリーブ技術を参照できるため、本明細書において説明を省略する。
【００８３】
方法１００に対応して、図８は端末装置の視点から、本発明の一つの実施例におけるフィードバック情報の伝送方法２００を示し、方法２００は、Ｓ２１０〜Ｓ２４０を含む。
【００８４】
Ｓ２１０において、端末装置は、基地局から送信された第１シグナリングを受信し、該第１シグナリングは、Ｋ個の第１物理アップリンク制御チャネルＰＵＣＣＨリソースを指示することに用いられ、Ｋが正整数である。
【００８５】
Ｓ２２０において、第１ダウンリンクサブフレーム集合において、該端末装置は、集約に使用されるライセンスキャリアとアンライセンスキャリアでデータをそれぞれ受信し、該ライセンスキャリアに対してＮビットのフィードバック情報を確定し、該アンライセンスキャリアに対してＭビットのフィードバック情報を確定し、Ｍが０以上の整数であり、Ｎが０以上の整数であり、且つＭとＮの少なくとも一つが０ではない。
【００８６】
Ｓ２３０において、前記端末装置がＭの値が０より大きいか否かを判定する。
【００８７】
Ｓ２４０において、Ｍが０より大きい場合、前記端末装置は、前記第１アップリンクサブフレームにおいて、該Ｋ個の第１ＰＵＣＣＨリソースのうちのＬ個の第１ＰＵＣＣＨリソースで、該Ｍビットのフィードバック情報と該Ｎビットのフィードバック情報とを伝送し、又は、該端末装置は、第１アップリンクサブフレームにおいて、少なくとも一つの第２ＰＵＣＣＨリソースで、該Ｎビットのフィードバック情報を伝送し、該Ｋ個の第１ＰＵＣＣＨリソースのうちのＬ個の第１ＰＵＣＣＨリソースで、該Ｍビットのフィードバック情報を伝送し、ここで、ＬがＫ以下の正整数であり、前記少なくとも一つの第２ＰＵＣＣＨリソースは、該ライセンスキャリアのデータ伝送をスケジューリングするためのダウンリンク制御情報ＤＣＩに基づいて確定されるものである。
【００８８】
ここで、該第１ダウンリンクサブフレーム集合は、該第１アップリンクサブフレームを使用してフィードバック情報を伝送する全てのダウンリンクサブフレームを含む。
【００８９】
理解すべきこととして、本発明の実施例において、Ｓ２４０の第１の技術案は方法１００の協同ＰＵＣＣＨの技術案に対応し、第２の技術案は方法１００の単独ＰＵＣＣＨの技術案に対応する。
【００９０】
ここで、好ましくは、Ｌが１と等しく、該Ｌ個の第１ＰＵＣＣＨリソースは、該アンライセンスキャリアのうちのキャリア番号が最も大きいアンライセンスキャリアに対応する第１ＰＵＣＣＨリソースである。
【００９１】
ここで、Ｍビットのフィードバック情報を確定することは、
該アンライセンスキャリアで受信された物理ダウンリンク共有チャネルＰＤＳＣＨの数量に基づき、Ｍの値を確定すること、又は、
ＰＤＳＣＨを受信した全ての該アンライセンスキャリアの最大のキャリア番号に基づき、Ｍの値を確定すること、又は、
集約された該アンライセンスキャリアの総数量に基づき、Ｍの値を確定することを含むことができる。
【００９２】
ここで、方法２００が時分割複信ＴＤＤシステムに適用される場合、Ｍビットのフィードバック情報を確定することは、
該第１ダウンリンクサブフレーム集合におけるダウンリンクサブフレームの数量に基づき、Ｍの値を確定することを含むことができる。
【００９３】
ここで、該Ｋ個の第１ＰＵＣＣＨリソースのうちのＬ個の第１ＰＵＣＣＨリソースで該Ｍビットのフィードバック情報を伝送することは、
ＭがＱより小さい場合、該Ｍビットのフィードバック情報に対してビット桁の補充を行ってＱビット長の情報シーケンスを得て、該Ｋ個の第１ＰＵＣＣＨリソースのうちのＬ個の第１ＰＵＣＣＨリソースで該Ｑビット長の情報シーケンスを伝送することを含むことができ、Ｑが正整数であり、Ｑがプロトコールによって規格され、又は該基地局によって設定された閾値である。
【００９４】
選択肢として、一つの実施例として、方法２００は、
Ｍが０と等しい場合、該端末装置が第１アップリンクサブフレームにおいて、少なくとも一つの第２ＰＵＣＣＨリソースで該Ｎビットのフィードバック情報を伝送することををさらに含むことができ、ここで、該少なくとも一つの第２ＰＵＣＣＨリソースは、該ライセンスキャリアのデータ伝送をスケジューリングするためのダウンリンク制御情報ＤＣＩに基づいて確定されるものである。
【００９５】
本発明の実施例において、Ｎビットのフィードバック情報を確定することは、
該ＤＣＩに基づいてＮの値を確定することを含むことができる。
【００９６】
本発明の実施例において、該Ｋ個の第１ＰＵＣＣＨリソースのうちのＬ個の第１ＰＵＣＣＨリソースで、該Ｍビットのフィードバック情報と、該Ｎビットのフィードバック情報を伝送することは、
該Ｍビットのフィードバック情報と該Ｎビットのフィードバック情報をカスケードしてジョイント符号化した後、該Ｌ個の第１ＰＵＣＣＨリソースで伝送することを含むことができる。
【００９７】
本発明の実施例におけるフィードバック情報の伝送方法において、端末装置は、基地局から送信されたＰＵＣＣＨリソースを指示するためのシグナリングを受信し、また集約に使用されるライセンスキャリアとアンライセンスキャリアでデータを受信し、フィードバック情報を生成した後、対応するＰＵＣＣＨリソースを介してフィードバック情報を基地局に伝送し、これによりフィードバック情報の伝送効率を向上させることができる。
【００９８】
理解すべきこととして、本発明の実施例において、Ｓ２４０の第１の技術案は方法１００の協同ＰＵＣＣＨの技術案に対応し、第２の技術案は方法１００の単独ＰＵＣＣＨの技術案に対応する。
【００９９】
方法１００に対応して、図９は基地局の視点から、本発明の一つの実施例におけるフィードバック情報の伝送方法３００を示し、方法３００は、Ｓ３１０〜Ｓ３３０を含む。
【０１００】
Ｓ３１０において、基地局は、端末装置へ第１シグナリングを送信し、該第１シグナリングは、Ｋ個の第１物理アップリンク制御チャネルＰＵＣＣＨリソースを指示することに用いられ、Ｋが正整数である。
【０１０１】
Ｓ３２０において、第１ダウンリンクサブフレーム集合において、該基地局は、集約に使用されるライセンスキャリア及び／又はアンライセンスキャリアで該端末装置へデータを送信する。
【０１０２】
Ｓ３３０において、該基地局が該アンライセンスキャリアで該端末装置へデータを送信する場合、該基地局は、第１アップリンクサブフレームにおいて、該Ｋ個の第１ＰＵＣＣＨリソースのうちのＬ個の第１ＰＵＣＣＨリソースで、該端末装置から送信された該アンライセンスキャリアに対応するＭビットのフィードバック情報と該ライセンスキャリアに対応するＮビットのフィードバック情報とを受信し、又は、該基地局が該ライセンスキャリアと該アンライセンスキャリアで前記端末装置へデータを送信する場合、該基地局が第１アップリンクサブフレームにおいて、少なくとも一つの第２ＰＵＣＣＨリソースで、該端末装置から送信された該ライセンスキャリアに対応するＮビットのフィードバック情報を受信し、該Ｋ個の第１ＰＵＣＣＨリソースのうちのＬ個の第１ＰＵＣＣＨリソースで該端末装置から送信された該アンライセンスキャリアに対応するＭビットのフィードバック情報を受信し、ＬがＫ以下の正整数であり、該少なくとも一つの第２ＰＵＣＣＨリソースは、該ライセンスキャリアのデータ伝送をスケジューリングするためのダウンリンク制御情報ＤＣＩに基づいて確定され、Ｍが０以上の整数であり、Ｎが０以上の整数であり、且つＭとＮの少なくとも一つが０ではなく、該第１ダウンリンクサブフレーム集合は、該第１アップリンクサブフレームを使用してフィードバック情報を伝送する全てのダウンリンクサブフレームを含む。
【０１０３】
理解すべきこととして、本発明の実施例において、Ｓ３３０の第１の技術案は方法１００の協同ＰＵＣＣＨの技術案に対応し、第２の技術案は方法１００の単独ＰＵＣＣＨの技術案に対応する。
【０１０４】
ここで、好ましくは、Ｌが１と等しく、該Ｌ個の第１ＰＵＣＣＨリソースは、該アンライセンスキャリアのうちのキャリア番号が最も大きいアンライセンスキャリアに対応する第１ＰＵＣＣＨリソースである。
【０１０５】
選択肢として、一つの実施例として、方法３００は、
該基地局が該ライセンスキャリアのみで該端末装置へデータを送信する場合、該基地局は、第１アップリンクサブフレームにおいて、少なくとも一つの第２ＰＵＣＣＨリソースで該ライセンスキャリアに対応するＮビットのフィードバック情報を受信することをさらに含むことができ、該少なくとも一つの第２ＰＵＣＣＨリソースは、該ライセンスキャリアのデータ伝送をスケジューリングするためのダウンリンク制御情報ＤＣＩに基づいて確定されるものである。
【０１０６】
本発明の実施例において、該Ｋ個の第１ＰＵＣＣＨリソースのうちのＬ個の第１ＰＵＣＣＨリソースで該端末装置から送信された該アンライセンスキャリアに対応するＭビットのフィードバック情報と該ライセンスキャリアに対応するＮビットのフィードバック情報を受信することは、
該Ｌ個の第１ＰＵＣＣＨリソースで、該Ｍビットのフィードバック情報と該Ｎビットのフィードバック情報からカスケードされてジョイント符号化された後に生成されたシーケンスを受信することを含むことができる。
【０１０７】
本発明の実施例において、方法３００は、
基地局は、該アンライセンスキャリアで送信された物理ダウンリンク共有チャネルＰＤＳＣＨの数量に基づき、Ｍの値を確定すること、又は、
該基地局は、ＰＤＳＣＨを送信する全ての該アンライセンスキャリアの最大のキャリア番号に基づき、Ｍの値を確定すること、又は、
該基地局は、集約された該アンライセンスキャリアの総数量に基づき、Ｍの値を確定することをさらに含むことができる。
【０１０８】
本発明の実施例において、方法３００が時間時分割複信ＴＤＤシステムに適用される場合、方法３００は、
該第１ダウンリンクサブフレーム集合におけるダウンリンクサブフレームの数量に基づき、Ｍの値を確定することをさらに含むことができる。
【０１０９】
本発明の実施例において、方法３００は、
該基地局が該ＤＣＩによってＮの値を指示することをさらに含むことができる。
【０１１０】
基地局がＭの値とＮの値を確定することは、基地局がＭの値とＮの値に基づいて端末装置から送信されたフィードバック情報をより効率的に受信することに役立つ。
【０１１１】
本発明の実施例におけるフィードバック情報の伝送方法において、基地局は端末装置へＰＵＣＣＨリソースを指示するためのシグナリングを送信し、また集約に使用されるライセンスキャリア、及び／又はアンライセンスキャリアでデータを送信し、端末装置はフィードバック情報を生成した後、対応するＰＵＣＣＨリソースを介してフィードバック情報を基地局に伝送し、これによりフィードバック情報の伝送効率を向上させることができる。
【０１１２】
理解すべきこととして、本発明の各実施例において、上記の各フローの番号の大きさは実行順番を意味しなく、各フローの実行順番はその機能と内部ロジックで確定されるべきであり、本発明の実施例の実施フローに対していかなる限定をすべきではない。
【０１１３】
以上に本発明の実施例におけるフィードバック情報の伝送方法を説明し、以下に本発明の実施例におけるフィードバック情報を伝送する端末装置と基地局を説明する。
【０１１４】
図１０は本発明の一つの実施例における端末装置４００の概略的なブロック図である。該端末装置４００は、受信モジュール４１０、判定モジュール４２０、及び送信モジュール４３０を含む。
【０１１５】
受信モジュール４１０は、基地局から送信された第１シグナリングを受信するように構成され、前記第１シグナリングは、Ｋ個の第１物理アップリンク制御チャネルＰＵＣＣＨリソースを指示することに用いられ、Ｋが正整数である。
【０１１６】
前記受信モジュール４１０は、さらに第１ダウンリンクサブフレーム集合において、集約に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定するように構成され、Ｍは０以上の整数であり、Ｎは０以上の整数であり、且つＭとＮの少なくとも一つが０ではない。
【０１１７】
判定モジュール４２０は、Ｍの値が０より大きいか否かを判定するように構成される。
【０１１８】
送信モジュール４３０は、Ｍが０より大きい場合、前記第１アップリンクサブフレームにおいて、前記Ｋ個の第１ＰＵＣＣＨリソースのうちのＬ個の第１ＰＵＣＣＨリソースで前記Ｍビットのフィードバック情報とＮビットのフィードバック情報を伝送し、又は、第１アップリンクサブフレームにおいて、少なくとも一つの第２ＰＵＣＣＨリソースで前記Ｎビットのフィードバック情報を伝送し、前記Ｋ個の第１ＰＵＣＣＨリソースのうちのＬ個の第１ＰＵＣＣＨリソースで前記Ｍビットのフィードバック情報を伝送するように構成され、Ｌは、Ｋ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものである。
【０１１９】
ここで、前記第１ダウンリンクサブフレーム集合は、前記第１アップリンクサブフレームを使用してフィードバック情報を伝送する全てのダウンリンクサブフレームを含む。
【０１２０】
本発明の実施例における端末装置は、基地局から送信されたＰＵＣＣＨリソースを指示するためのシグナリングを受信し、また集約に使用されるライセンスキャリアとアンライセンスキャリアでデータを受信し、フィードバック情報を生成した後、対応するＰＵＣＣＨリソースを介してフィードバック情報を基地局に伝送し、これによりフィードバック情報の伝送効率を向上させることができる。
【０１２１】
選択肢として、一つの実施例として、送信モジュール４３０は、
Ｍが０と等しい場合、前記端末装置が第１アップリンクサブフレームにおいて、少なくとも一つの第２ＰＵＣＣＨリソースで前記Ｎビットのフィードバック情報を伝送するように構成されてもよく、前記少なくとも一つの第２ＰＵＣＣＨリソースは、前記ライセンスキャリアのデータ伝送をスケジューリングするためのダウンリンク制御情報ＤＣＩに基づいて確定されるものである。
【０１２２】
選択肢として、一つの実施例として、受信モジュール４１０がＭビットのフィードバック情報を確定することは、
前記受信モジュール４１０は、前記アンライセンスキャリアで受信された物理ダウンリンク共有チャネルＰＤＳＣＨの数量に基づき、Ｍの値を確定すること、又は、
前記受信モジュール４１０は、ＰＤＳＣＨを受信した全ての前記アンライセンスキャリアの最大のキャリア番号に基づき、Ｍの値を確定すること、又は、
前記受信モジュール４１０は、集約された前記アンライセンスキャリアの総数量に基づき、Ｍの値を確定することを含むことができる。
【０１２３】
選択肢として、一つの実施例として、端末装置４００が時分割複信ＴＤＤシステムに適用される場合、前記受信モジュール４１０はＭビットのフィードバック情報を確定することは、
前記受信モジュールは、前記第１ダウンリンクサブフレーム集合におけるダウンリンクサブフレームの数量に基づき、Ｍの値を確定することを含む。
【０１２４】
選択肢とする一つの実施例として、前記受信モジュール４１０がＮビットのフィードバック情報を確定することは、
前記受信モジュールは、前記ＤＣＩに基づいてＮの値を確定することを含む。
【０１２５】
選択肢とする本発明の実施例において、前記送信モジュール４３０が前記Ｋ個の第１ＰＵＣＣＨリソースのうちのＬ個の第１ＰＵＣＣＨリソースで前記Ｍビットのフィードバック情報と前記Ｎビットのフィードバック情報を伝送することは、
前記送信モジュール４３０は、前記Ｍビットのフィードバック情報と前記Ｎビットのフィードバック情報をカスケードしてジョイント符号化した後、前記Ｌ個の第１ＰＵＣＣＨリソースで伝送することを含むことができる。
【０１２６】
好ましくは、本発明の実施例において、Ｌが１と等しくてもよく、前記Ｌ個の第１ＰＵＣＣＨリソースは、前記アンライセンスキャリアのうちのキャリア番号が最も大きいアンライセンスキャリアに対応する第１ＰＵＣＣＨリソースである。
【０１２７】
選択肢として、本発明の実施例において、前記送信モジュール４３０は、前記Ｋ個の第１ＰＵＣＣＨリソースのうちのＬ個の第１ＰＵＣＣＨリソースで前記Ｍビットのフィードバック情報を伝送することは、
ＭがＱより小さい場合、前記送信モジュールは、前記Ｍビットのフィードバック情報に対してビット桁の補充を行い、ビット長がＱである情報シーケンスを得て、前記Ｋ個の第１ＰＵＣＣＨリソースのうちのＬ個の第１ＰＵＣＣＨリソースで前記Ｑビット長の情報シーケンスを伝送することを含むことができ、Ｑが正整数であり、Ｑがプロトコールによって規格された閾値又は前記基地局によって設定された閾値である。
【０１２８】
注意すべきこととして、本発明の実施例において、受信モジュール４１０は受信機によって実現されてもよく、送信モジュール４３０は送信機によって実現されてもよく、判定モジュール４２０はプロセッサによって実現されてもよい。図１１に示すように、端末装置５００はプロセッサ５１０、受信機５２０、送信機５３０とメモリ５４０を含むことができる。その中、メモリ５４０はプロセッサ５１０で実行されるコードなどを記憶するように構成されてもよい。
【０１２９】
端末装置５００における各コンポーネントはバスシステム５５０を介してカップリングされ、バスシステム５５０はデータバスに加えて、電源バス、制御バスと状態信号バスを含む。
【０１３０】
図１０に示す端末装置５００又は図１１に示す端末装置４００は前記図１〜図９の実施例において実現された各プロセスを実現することができ、重複を回避するために、ここでは説明を省略する。
【０１３１】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１３２】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１３３】
図１２は本発明の一つの実施例における基地局６００の概略的なブロック図である。該基地局６００は、送信モジュール６１０と受信モジュール６２０を含む。
【０１３４】
送信モジュール６１０は、端末装置へ第１シグナリングを送信するように構成され、前記第１シグナリングがＫ個の第１物理アップリンク制御チャネルＰＵＣＣＨリソースを指示することに用いられ、Ｋが正整数である。
【０１３５】
送信モジュール６１０は、さらに第１ダウンリンクサブフレーム集合において、集約に使用されるライセンスキャリア及び／又はアンライセンスキャリアで前記端末装置へデータを送信するように構成される。
【０１３６】
受信モジュール６２０は、前記基地局が前記アンライセンスキャリアで前記端末装置へデータを送信する場合、第１アップリンクサブフレームにおいて、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と前記ライセンスキャリアに対応するＮビットのフィードバック情報を受信し、又は、前記基地局が前記ライセンスキャリアと前記アンライセンスキャリアで前記端末装置へデータを送信する場合、前記基地局が第１アップリンクサブフレームにおいて、少なくとも一つの第２ＰＵＣＣＨリソースで前記端末装置から送信された前記ライセンスキャリアに対応するＮビットのフィードバック情報を受信し、前記Ｋ個の第１ＰＵＣＣＨリソースのうちのＬ個の第１ＰＵＣＣＨリソースで前記端末装置から送信された前記アンライセンスキャリアに対応するＭビットのフィードバック情報を受信するように構成され、ＬがＫ以下の正整数であり、前記少なくとも一つの第２ＰＵＣＣＨリソースが前記ライセンスキャリアのデータ伝送をスケジューリングするためのダウンリンク制御情報ＤＣＩに基づいて確定され、Ｍが０以上の整数であり、Ｎが０以上の整数であり、ＭとＮの少なくとも一つが０ではなく、前記第１ダウンリンクサブフレーム集合が前記第１アップリンクサブフレームを使用してフィードバック情報を伝送する全てのダウンリンクサブフレームを含む。
【０１３７】
本発明の実施例における基地局は、端末装置へＰＵＣＣＨリソースを指示するためのシグナリングを送信し、また集約に使用されるライセンスキャリア及び／又はアンライセンスキャリアで端末装置へデータを送信し、端末装置はフィードバック情報を生成した後、対応するＰＵＣＣＨリソースを介してフィードバック情報を基地局に伝送し、これによりフィードバック情報の伝送効率を向上させることができる。
【０１３８】
選択肢として、一つの実施例として、受信モジュール６２０はさらに、
前記基地局が前記ライセンスキャリアのみで前記端末装置へデータ送信する場合、前記基地局が第１アップリンクサブフレームにおいて、少なくとも一つの第２ＰＵＣＣＨリソースで前記ライセンスキャリアに対応するＮビットのフィードバック情報を受信するように構成され、前記少なくとも一つの第２ＰＵＣＣＨリソースが前記ライセンスキャリアのデータ伝送をスケジューリングするためのダウンリンク制御情報ＤＣＩに基づいて確定されるものである。
【０１３９】
選択肢として、一つの実施例として、基地局６００は、
前記アンライセンスキャリアで送信された物理ダウンリンク共有チャネルＰＤＳＣＨの数量に基づき、Ｍの値を確定し、又は、
ＰＤＳＣＨを送信する全ての前記アンライセンスキャリアの最大のキャリア番号に基づき、Ｍの値を確定し、又は、
集約された前記アンライセンスキャリアの総数量に基づき、Ｍの値を確定するように構成される確定モジュール６３０をさらに含む。
【０１４０】
また、一つの実施例として、前記基地局６００が時分割複信ＴＤＤシステムに適用される場合、基地局６００は、
前記第１ダウンリンクサブフレーム集合におけるダウンリンクサブフレームの数量に基づき、Ｍの値を確定するように構成される確定モジュール６３０をさらに含む。
【０１４１】
また、一つの実施例として、前記送信モジュール６１０はさらに、
前記ＤＣＩによってＮの値を指示するように構成される。
【０１４２】
また、本発明の実施例において、前記受信モジュール６２０が前記Ｋ個の第１ＰＵＣＣＨリソースのうちのＬ個の第１ＰＵＣＣＨリソースで前記端末装置から送信された前記アンライセンスキャリアに対応するＭビットのフィードバック情報と前記ライセンスキャリアに対応するＮビットのフィードバック情報を受信することは、
前記受信モジュール６２０が前記Ｌ個の第１ＰＵＣＣＨリソースで、前記Ｍビットのフィードバック情報と前記Ｎビットのフィードバック情報からカスケードされ且つジョイント符号化された後に生成されたシーケンスを受信することを含む。
【０１４３】
好ましくは、本発明の実施例において、Ｌが１と等しく、前記Ｌ個の第１ＰＵＣＣＨリソースは前記アンライセンスキャリアのうちのキャリア番号が最も大きいアンライセンスキャリアに対応する第１ＰＵＣＣＨリソースである。
【０１４４】
注意すべきこととして、本発明の実施例において、受信モジュール６２０は受信機によって実現されてもよく、送信モジュール６１０は送信機によって実現されてもよく、確定モジュール６３０はプロセッサによって実現されてもよい。図１３に示すように、基地局７００はプロセッサ７１０、受信機７２０、送信機７３０とメモリ７４０を含むことができる。ここで、メモリ７４０はプロセッサ７１０に実行されるコードなどを記憶するように構成されてもよい。
【０１４５】
基地局７００における各コンポーネントはバスシステム７５０を介してカップリングされ、バスシステム７５０はデータバスに加えて、電源バス、制御バスと状態信号バスを含む。
【０１４６】
図１２に示す基地局６００又は図１３に示す基地局７００は前記図１〜図９の実施例において実現された各プロセスを実現することができ、重複を回避するために、説明を省略する。
【０１４７】
本明細書に開示された実施例に説明されている各例示的なユニット及びアルゴリズムのステップを結合し、電子ハードウェア、又はコンピュータソフトウェアと電子ハードウェアとの結合で実現されてもよいと、当業者であれば理解できる。これらの機能がハードウェアか、それともソフトウェアで実行されるかについては、技術案の特定応用と設計約束条件に依存するものである。当業者は各特定の応用に応じて異なる方法を使用して説明された機能を実現することができるが、このような実現は本発明の範囲を超えていると見なすべきではない。
【０１４８】
当業者は便利且つ簡潔で説明するために、上述したシステム、装置とユニットの具体的な動作プロセスについて、上記方法の実施例における対応するプロセスが参照でき、ここでは説明を省略することを明確に理解することができる。
【０１４９】
本出願が提供するいくつかの実施例では、開示されているシステム、装置および方法は他の方式により実現されてもよいと理解すべきである。上述した装置の実施例は例示的なものだけであり、例えば、前記ユニットの分け方は、ロジック的な機能分けだけであり、実際に実施する時に他の分け方があっても良く、例えば複数のユニットまたはコンポーネントは別のシステムに統合、又は集成しても良く、又は幾つかの技術特徴を省略、又は実施しなくても良い。また、示され、または議論される互い的なカップリング、又は直接のカップリング、又は通信接続によって接続されても良く、電気的、機械的又は他の形態であってもよい。
【０１５０】
分離コンポーネントとして説明された前記ユニットは、物理的に分離するものであってもよく、または物理的に分離するものでなくてもよく、ユニットとして示されるコンポーネントは物理的ユニットであってもよく、または物理的ユニットでなくてもよく、一箇所に位置してもよく、又は複数のネットワークユニットに配布してもよい。実際のニーズに応じてその中の一部または全てのユニットを選択して本実施例の技術案の目的を達成しても良く。
【０１５１】
また、本発明の各実施例における各機能ユニットは、一つの処理ユニットに統合されてもよく、個々のユニットはそれぞれ単独なユニットとしてもよく、二つまたは二つ以上のユニットは一つのユニットに統合されてもよい。
【０１５２】
前記機能はソフトウェア機能ユニットの形態で実現され、しかも単独的な製品として販売または使用される場合、一つのコンピュータ読み取り可能な記憶媒体に格納されてもよい。このような理解に基づき、本発明の技術案は事実上、言い換えれば先行技術に貢献した部分がソフトウェア製品の形で具現でき、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵＳＢメモリ、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５３】
以上は、本発明の最適的な実施例に過ぎなく、本発明の範囲はこれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019501545.tif 000003
【図２】
2019501545.tif 000004
【図３】
2019501545.tif 000005
【図４】
2019501545.tif 000006
【図５】
2019501545.tif 000007
【図６】
2019501545.tif 000008
【図７】
2019501545.tif 000009
【図８】
2019501545.tif 000010
【図９】
2019501545.tif 000011
【図１０】
2019501545.tif 000012
【図１１】
2019501545.tif 000013
【図１２】
2019501545.tif 000014
【図１３】
2019501545.tif 000015
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
フィードバック情報の伝送方法であって、
端末装置は、基地局から送信された、Ｋ個の第１物理アップリンク制御チャネル（ＰＵＣＣＨ）リソースを指示するための第１シグナリングを受信することと、
第１ダウンリンクサブフレーム集合において、前記端末装置は、集約的に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定することと、
前記端末装置は、Ｍの値が０より大きいか否かを判定することと、
Ｍが０より大きい場合、前記端末装置は、前記第１アップリンクサブフレームにおいて、前記Ｋ個の第１ＰＵＣＣＨリソースのうちのＬ個の第１ＰＵＣＣＨリソースで、前記Ｍビットのフィードバック情報と前記Ｎビットのフィードバック情報とを伝送し、又は、前記端末装置は、第１アップリンクサブフレームにおいて、少なくとも一つの第２ＰＵＣＣＨリソースで、前記Ｎビットのフィードバック情報を伝送し、前記Ｋ個の第１ＰＵＣＣＨリソースのうちのＬ個の第１ＰＵＣＣＨリソースで、前記Ｍビットのフィードバック情報を伝送することと、を含み、
Ｋは正整数であり、Ｍは０以上の整数であり、Ｎは０以上の整数であり、且つＭとＮの少なくとも一つは０ではなく、ＬはＫ以下の正整数であり、前記少なくとも一つの第２ＰＵＣＣＨリソースは、前記ライセンスキャリアのデータ伝送をスケジューリングするためのダウンリンク制御情報（ＤＣＩ）に基づいて確定されるものであり、
前記第１ダウンリンクサブフレーム集合は、前記第１アップリンクサブフレームを使用してフィードバック情報を伝送する全てのダウンリンクサブフレームを含む、
ことを特徴とするフィードバック情報の伝送方法。
【請求項２】
Ｍが０と等しい場合、前記端末装置は、第１アップリンクサブフレームにおいて、少なくとも一つの第２ＰＵＣＣＨリソースで前記Ｎビットのフィードバック情報を伝送することを含み、
前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項１に記載のフィードバック情報の伝送方法。
【請求項３】
前記Ｍビットのフィードバック情報を確定することは、
前記アンライセンスキャリアで受信された物理ダウンリンク共有チャネル（ＰＤＳＣＨ）の数量に基づき、Ｍの値を確定すること、又は、
ＰＤＳＣＨを受信した全ての前記アンライセンスキャリアの最大のキャリア番号に基づき、Ｍの値を確定すること、又は、
集約された前記アンライセンスキャリアの総数量に基づき、Ｍの値を確定することを含むことを特徴とする
請求項１又は２に記載のフィードバック情報の伝送方法。
【請求項４】
前記フィードバック情報の伝送方法が時分割複信（ＴＤＤ）システムに適用される場合、前記Ｍビットのフィードバック情報を確定することは、
前記第１ダウンリンクサブフレーム集合におけるダウンリンクサブフレームの数量に基づき、Ｍの値を確定することを含むことを特徴とする
請求項１乃至３のいずれか１項に記載のフィードバック情報の伝送方法。
【請求項５】
前記Ｎビットのフィードバック情報を確定することは、
前記ＤＣＩに基づいてＮの値を確定することを含むことを特徴とする
請求項１乃至４のいずれか１項に記載のフィードバック情報の伝送方法。
【請求項６】
前記Ｋ個の第１ＰＵＣＣＨリソースのうちのＬ個の第１ＰＵＣＣＨリソースで前記Ｍビットのフィードバック情報と前記Ｎビットのフィードバック情報を伝送することは、
前記Ｍビットのフィードバック情報と前記Ｎビットのフィードバック情報をカスケードしてジョイント符号化した後、前記Ｌ個の第１ＰＵＣＣＨリソースで伝送することを特徴とする
請求項１乃至５のいずれか１項に記載のフィードバック情報の伝送方法。
【請求項７】
Ｌが１と等しく、前記Ｌ個の第１ＰＵＣＣＨリソースは前記アンライセンスキャリアのうちのキャリア番号が最も大きいアンライセンスキャリアに対応する第１ＰＵＣＣＨリソースであることを特徴とする
請求項１乃至６のいずれか１項に記載のフィードバック情報の伝送方法。
【請求項８】
前記Ｋ個の第１ＰＵＣＣＨリソースのうちのＬ個の第１ＰＵＣＣＨリソースで前記Ｍビットのフィードバック情報を伝送することは、
ＭがＱより小さい場合、前記Ｍビットのフィードバック情報に対してビット桁の補充を行ってＱビット長の情報シーケンスを得て、前記Ｋ個の第１ＰＵＣＣＨリソースのうちのＬ個の第１ＰＵＣＣＨリソースで前記Ｑビット長の情報シーケンスを伝送することを含み、
Ｑは正整数であり、Ｑはプロトコールによって規格された閾値又は前記基地局によって設定された閾値であることを特徴とする
請求項１乃至７のいずれか１項に記載のフィードバック情報の伝送方法。
【請求項９】
フィードバック情報の伝送方法であって、
基地局は、端末装置へ、Ｋ個の第１物理アップリンク制御チャネル（ＰＵＣＣＨ）リソースを指示するための第１シグナリングを送信することと、
第１ダウンリンクサブフレーム集合において、前記基地局は、集約に使用されるライセンスキャリア及び／又はアンライセンスキャリアで前記端末装置へデータを送信することと、
前記基地局が前記アンライセンスキャリアで前記端末装置へデータを送信する場合、前記基地局は、第１アップリンクサブフレームにおいて、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報と前記ライセンスキャリアに対応するＮビットのフィードバック情報とを受信し、又は、前記基地局が前記ライセンスキャリアと前記アンライセンスキャリアで前記端末装置へデータを送信する場合、前記基地局は、第１アップリンクサブフレームにおいて、少なくとも一つの第２ＰＵＣＣＨリソースで、前記端末装置から送信された前記ライセンスキャリアに対応するＮビットのフィードバック情報を受信し、前記Ｋ個の第１ＰＵＣＣＨリソースのうちのＬ個の第１ＰＵＣＣＨリソースで、前記端末装置から送信された前記アンライセンスキャリアに対応するＭビットのフィードバック情報を受信することと、を含むこととを含み、
Ｋは正整数であり、ＬはＫ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、Ｍは０以上の整数であり、Ｎは０以上の整数であり、且つＭとＮの少なくとも一つは０ではなく、前記第１ダウンリンクサブフレーム集合は、前記第１アップリンクサブフレームを使用してフィードバック情報を伝送する全てのダウンリンクサブフレームを含む、
ことを特徴とするフィードバック情報の伝送方法。
【請求項１０】
前記フィードバック情報の伝送方法は、
前記基地局が前記ライセンスキャリアのみで前記端末装置へデータを送信する場合、前記基地局は、第１アップリンクサブフレームにおいて、少なくとも一つの第２ＰＵＣＣＨリソースで、前記ライセンスキャリアに対応するＮビットのフィードバック情報を受信することをさらに含み、
前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項９に記載のフィードバック情報の伝送方法。
【請求項１１】
前記フィードバック情報の伝送方法は、
前記基地局は、前記アンライセンスキャリアで送信された物理ダウンリンク共有チャネル（ＰＤＳＣＨ）の数量に基づき、Ｍの値を確定すること、又は、
前記基地局は、ＰＤＳＣＨを送信する全ての前記アンライセンスキャリアの最大のキャリア番号に基づき、Ｍの値を確定すること、又は、
前記基地局は、集約されたアンライセンスキャリアの総数量に基づき、Ｍの値を確定することをさらに含むことを特徴とする
請求項９又は１０に記載のフィードバック情報の伝送方法。
【請求項１２】
端末装置であって、
基地局から送信された、Ｋ個の第１物理アップリンク制御チャネル（ＰＵＣＣＨ）リソースを指示するための第１シグナリングを受信し、さらに第１ダウンリンクサブフレーム集合において、集約に使用されるライセンスキャリアとアンライセンスキャリアでデータをそれぞれ受信し、前記ライセンスキャリアに対してＮビットのフィードバック情報を確定し、前記アンライセンスキャリアに対してＭビットのフィードバック情報を確定するように構成されるように構成される受信モジュールと、
Ｍの値が０より大きいか否かを判定するように構成される判定モジュールと、
Ｍが０より大きい場合、前記第１アップリンクサブフレームにおいて、前記Ｋ個の第１ＰＵＣＣＨリソースのうちのＬ個の第１ＰＵＣＣＨリソースで、前記Ｍビットのフィードバック情報とＮビットのフィードバック情報とを伝送し、又は、第１アップリンクサブフレームにおいて、少なくとも一つの第２ＰＵＣＣＨリソースで、前記Ｎビットのフィードバック情報を伝送し、前記Ｋ個の第１ＰＵＣＣＨリソースのうちのＬ個の第１ＰＵＣＣＨリソースで、前記Ｍビットのフィードバック情報を伝送するように構成される送信モジュールとを含み、
Ｋは正整数であり、Ｍは０以上の整数であり、Ｎは０以上の整数であり、且つＭとＮの少なくとも一つは０ではなく、ＬはＫ以下の正整数であり、前記少なくとも一つの第２ＰＵＣＣＨリソースは、前記ライセンスキャリアのデータ伝送をスケジューリングするためのダウンリンク制御情報ＤＣＩに基づいて確定されるものであり、
前記第１ダウンリンクサブフレーム集合は、前記第１アップリンクサブフレームを使用してフィードバック情報を伝送する全てのダウンリンクサブフレームを含む、ことを特徴とする端末装置。
【請求項１３】
送信モジュールはさらに、
Ｍが０と等しい場合、前記端末装置は、第１アップリンクサブフレームにおいて、少なくとも一つの第２ＰＵＣＣＨリソースで前記Ｎビットのフィードバック情報を伝送するように構成され、前記少なくとも一つの第２ＰＵＣＣＨリソースは、前記ライセンスキャリアのデータ伝送をスケジューリングするためのダウンリンク制御情報（ＤＣＩ）に基づいて確定されるものであることを特徴とする
請求項１２に記載の端末装置。
【請求項１４】
前記受信モジュールがＭビットのフィードバック情報を確定することは、
前記受信モジュールは、前記アンライセンスキャリアで受信された物理ダウンリンク共有チャネルＰＤＳＣＨの数量に基づき、Ｍの値を確定すること、又は、
前記受信モジュールは、ＰＤＳＣＨを受信した全ての前記アンライセンスキャリアの最大のキャリア番号に基づき、Ｍの値を確定すること、又は、
前記受信モジュールは、集約された前記アンライセンスキャリアの総数量に基づき、Ｍの値を確定することを含むことを特徴とする
請求項１２又は１３に記載の端末装置。
【請求項１５】
前記送信モジュールが前記Ｋ個の第１ＰＵＣＣＨリソースのうちのＬ個の第１ＰＵＣＣＨリソースで前記Ｍビットのフィードバック情報と前記Ｎビットのフィードバック情報を伝送することは、
前記送信モジュールは、前記Ｍビットのフィードバック情報と前記Ｎビットのフィードバック情報をカスケードしてジョイント符号化した後、前記Ｌ個の第１ＰＵＣＣＨリソースで伝送することを含むことを特徴とする
請求項１２乃至１４のいずれか１項に記載の端末装置。
【国際調査報告】
2019501545.tif 000016
2019501545.tif 000017
2019501545.tif 000018
2019501545.tif 000019